(57)【要約】【課題】居住スペースを狭くすることなく、収納スペース（収納所）を確保でき、かつ、建物自体の高さも高くなることがない建物を提供する。【解決手段】建物本体１に隣接して設けられた階段室２の上部に、収納用床２５が設けられ、この収納用床２５の上方が収納所２６とされ、建物本体１と階段室２とを仕切る壁２１ｄに、前記収納所２６へ物品を出し入れするための開口部２７が設けられている。収納所２６は建物本体１の居住スペースの外側にあるため、居住スペースを狭くすることなく、収納所２６を確保できる。また、階段室２の上部にある収納用床２５上が収納所２６となっているので、収納所２６を確保するために建物本体１の階高を高くしなくてもよく、よって、建物自体の高さも高くなることがない。【選択図】        図４
2004316246.tif 000002
【特許請求の範囲】
【請求項１】
建物本体と、この建物本体に隣接して設けられ、内部に下階から上階に至る階段が設けられた階段室とを備えた建物において、
前記階段室の上部に、収納用床が上階の床より高い位置に設けられ、この収納用床の上方が収納所とされ、
前記建物本体と階段室とを仕切る壁に、前記収納所へ物品を出し入れするための開口部が設けられていることを特徴とする建物。
【請求項２】
請求項１に記載の建物において、
前記階段室における上階の床が、前記建物本体における上階の床より低くなっていることを特徴とする建物。
【請求項３】
請求項１または２に記載の建物において、
前記建物本体は、左右に所定間隔離間して左右一対配置されており、
これら建物本体の間に、前記階段室が配置されていることを特徴とする建物。
【請求項４】
請求項３に記載の建物において、
前記階段室と階段とは、ユニット化されていることを特徴とする建物。
【請求項５】
請求項３または４に記載の建物において、
前記収納用床上の収納所は、仕切壁によって左右に仕切られていることを特徴とする建物。
【請求項６】
請求項３〜５のいずれか一項に記載の建物において、
前記左右一対の建物本体と、前記階段室とは平面視において、略コ字状に配置されていることを特徴とする建物。
【発明の詳細な説明】
【０００１】
【発明の属する技術分野】
本発明は、下階から上階に至り、かつ、建物の住戸の外側に設けられた階段を備えた集合住宅等の建物に関するものである。
【０００２】
【背景の技術】
アパートや重層長屋等の集合住宅の建物としては、例えば各階に複数の住戸を備えた集合住宅であって、上階の各住戸の玄関に通じる外階段が設けられているものが開示されている（例えば、特許文献１参照）。
このような建物によれば、各階に備えられた住戸の間取りを等しくするのが容易であることから、シンプルな住宅構造とすることが可能となる。
【０００３】
【特許文献１】
特開平６−１２８９８９号公報
【０００４】
【発明が解決しようとする課題】
ところで、上記のような建物において、押入等の収納所を大きくとると、その分居住スペースが狭くなるので、好ましくない。特に、アパート等の集合住宅では、収納スペースが狭い場合が多く、居住スペースを狭くすることなく、収納スペースを十分に確保したいという要望がある。
そこで、階高を高くすることによって、天井懐を大きくとり、その部分を収納スペースとすることも考えられるが、この場合、建物自体の高さが高くなってしまい、隣接する住宅等の建物への日照を遮ってしまうことがあり、あまり好ましくない。
【０００５】
本発明は、上記事情に鑑みてなされたもので、居住スペースを狭くすることなく、収納スペース（収納所）を確保でき、かつ、建物自体の高さも高くなることがない建物を提供することを課題としている。
【０００６】
【課題を解決するための手段】
上記課題を解決するために、請求項１に記載の発明は、例えば図１〜図４に示すように、建物本体１と、この建物本体１に隣接して設けられ、内部に下階から上階に至る階段２２が設けられた階段室２とを備えた建物において、
前記階段室２の上部に、収納用床２５が上階の床２４より高い位置に設けられ、この収納用床２５の上方が収納所２６とされ、
前記建物本体１と階段室２とを仕切る壁２１ｄに、前記収納所２６へ物品を出し入れするための開口部２７が設けられていることを特徴とする。
【０００７】
ここで、前記階段室２は、建物の下階の床と上階の天井部との間に設けられた壁２１ａ〜２１ｅによって形成される。したがって、前記収納用床２５は上階の天井部より下方に設けられる。
【０００８】
請求項１に記載の発明によれば、収納所２６は、建物本体１の外側に設けられた階段室２の上部にある収納用床２５の上方にあるため、つまり、収納所２６は建物本体１の居住スペースの外側にあるため、居住スペースを狭くすることなく、収納所２６を確保できる。
また、建物本体１と階段室２とを仕切る壁２１ｄに、収納所２６へ物品を出し入れするための開口部２７が設けられているので、建物本体１の居住スペースから収納所２６を使用できる、つまり、収納所２６が建物本体１の外側にあっても、建物本体１の居住スペースから使用できる。
さらに、階段室２の上部にある収納用床２５上が収納所２６となっているので、収納所２６を確保するために建物本体１の階高を高くしなくてもよく、よって、建物自体の高さも高くなることがない。
【０００９】
請求項２に記載の発明は、請求項１に記載の建物において、
前記階段室２における上階の床２３が、前記建物本体１における上階の床２４より低くなっていることを特徴とする。
【００１０】
請求項２に記載の発明によれば、階段室２における上階の床２３が、建物本体１における上階の床２４より低くなっているので、階段室２における上階の床２３から収納用床２５までの天井高さを低くすることなく、収納用床２５を低くすることができ、その分、収納用床２５上の収納所２６の高さを高くできる、つまり、収納所２６を大きくできる。
また、収納用床２５を低くした分、建物本体１の居住スペースから収納所２６への物品の出し入れが容易となる。
【００１１】
請求項３に記載の発明は、請求項１または２に記載の建物において、
前記建物本体１は、左右に所定間隔離間して左右一対配置されており、
これら建物本体１，１の間に、前記階段室２が配置されていることを特徴とする。
【００１２】
請求項３に記載の発明によれば、左右一対の建物本体１，１の間に階段室２が配置されているので、この階段室２の上部の収納所２６をそれぞれの建物本体１，１の居住スペースから使用できる。
【００１３】
請求項４に記載の発明は、請求項３に記載の建物において、
前記階段室２と階段２２とは、ユニット化されていることを特徴とする。
【００１４】
ここで、ユニット化とは、例えば、階段室を、鉄骨で形成された直方体状の鉄骨ユニットと壁とで構成し、この壁付きの鉄骨ユニットの内部に階段を取り付けたものを建物本体間に設ける構成としたり、階段室を構成する壁や、階段等を予め工場等で製造しておき、これを建物本体間に設ける構成とすることを意味する。
【００１５】
請求項４に記載の発明によれば、階段室２と階段２２とは、ユニット化されているので、このユニット化されたものを、左右一対の建物本体１，１間の所望の位置に設けることができ、これによって、建物本体１，１の住戸の玄関位置を変更した様々な平面プランの建物を得ることができる。
【００１６】
請求項５に記載の発明は、請求項３または４に記載の建物において、
前記収納用床２５上の収納所２６は、仕切壁２１ｃによって左右に仕切られていることを特徴とする。
【００１７】
請求項５に記載の発明によれば、収納用床２５上の収納所２６が、仕切壁２１ｃによって左右に仕切られているので、この仕切られた収納所２６，２６を、左右一対の建物本体１，１の居住スペースからそれぞれ使用できる。
【００１８】
請求項６に記載の発明は、請求項３〜５のいずれか一項に記載の建物において、
前記左右一対の建物本体１，１と、前記階段室２とは平面視において、略コ字状に配置されていることを特徴とする。
【００１９】
請求項６に記載の発明によれば、左右一対の建物本体１，１と階段室２とがコ字状に配置されているので、建物本体１，１の間には、階段室２と逆側に開口するスペース３０が生じる。したがって、このスペース３０を駐輪場等として有効に利用できる。
【００２０】
【発明の実施の形態】
以下、図１〜図４を参照して本発明の実施の形態について説明する。
本実施の形態の建物は、４つの住戸を有する集合住宅であり、左右に所定間隔離間して配置された左右一対の建物本体１，１と、これら建物本体１，１間に配置され、かつ建物本体１，１に隣接して設けられた階段室２とを備えている。
また、建物本体１，１および階段室２の上部には、一体的に屋根３が設けられている。
【００２１】
建物本体１，１は、それぞれ２階建てのものであり、１階および２階のそれぞれが住戸となっている。したがって、本実施の形態の建物は上下、左右の合計４住戸で構成されている。
左側（西側）の建物本体１の１階の住戸は、図１に示すように、南側に居室４が配置されており、この居室４に隣接してその北側にキッチン５が配置され、さらにこのキッチン５に隣接してその北側にトイレ６、洗面室７、浴室８がユニット化されて配置されている。また、キッチン５の東側には玄関９が設けられている。
また、１階の住戸は天井高さが、約３ｍ程度あり、この高さを利用してトイレ６および洗面室７の上部には床１０が設けられ、この床１０と天井１１との間に収納所１２が設けられている。
なお、右側（東側）の建物本体１の１階の住戸の間取りは、左側（西側）の建物本体１の１階の住戸の間取りに対して対称的になっているので、共通の部屋等には同一符号を付してその説明を省略する。
【００２２】
また、左側（西側）の建物本体１の２階の住戸は、図２に示すように、南側に居室１４が配置されており、この居室１４に隣接してその北側にキッチン１５が配置され、さらにこのキッチン１５に隣接してその北側にトイレ１６、洗面室１７、浴室１８がユニット化されて配置されている。つまり、２階の住戸の間取りは１階の住戸の間取りとほぼ同じになっている。
また、キッチン１５の東側には小ホール１９が設けられており、この小ホール１９には階段２０が接続されている。
なお、右側（東側）の建物本体１の２階の住戸の間取りは、左側（西側）の建物本体１の２階の住戸の間取りに対して対称的になっているので、共通の部屋等には同一符号を付してその説明を省略する。
ここで、２階の住戸は、図４に示すように、勾配天井となっており、その部分の天井高さが１階の住戸より低いので、１階の住戸のように、トイレ６および洗面室７の上方に収納所１２を設けるのが困難である。
そこで、本実施の形態では、２階の住戸用の収納所を階段室２に設けている。
【００２３】
すなわちまず、建物本体１，１の間には、上述したように、階段室２が配置されている。この階段室２は、１階の床と２階の天井部との間に設けられた壁２１ａ，２１ｂ，２１ｃ，２１ｄ，２１ｅによって形成されている。
壁２１ａは建物本体１，１の北側の壁間に設けられたものであり、この北側の壁と面一になるようにして配置されている。また、壁２１ａは１階の床から２階の天井部まで設けられている。
壁２１ｂは、建物本体１，１の互いに対向する壁間に設けられたものであり、この壁２１ｂは１階の天井位置よりやや低い位置から２階の天井部まで設けられている。
壁２１ｃは階段室２内を左右に仕切る壁であり、１階の床から２階の天井部まで設けられている。
壁２１ｄは建物本体１と階段室２とを仕切る壁であり、１階の床から２階の天井部まで設けられている。
壁２１ｅは前記壁２１ｂより奥側に配置さたものであり、１階の床から前記壁２１ｂの下端位置まで設けられており、この壁２１ｂと壁２１ｃによって連結されている。
【００２４】
また、左右一対の建物本体１，１と、階段室２とは平面視において、略コ字状に配置されており、建物本体１，１間には、階段室２と逆側に開口するオープンスペース３０が設けられている。建物の屋根３はこのオープンスペース３０上を覆っている。
【００２５】
階段室２は、壁２１ｃによって左右に二分割されており、この分割された分割階段室２ａ，２ａには、それぞれ１階から２階に至る階段２２が設けられている。前記壁２１ｅには２階の住戸の玄関扉が左右に離間して二つ設けられており、１階の階段室２の分割階段室２ａ，２ａ内にそれぞれ２階の住戸用の玄関が設けられている。
前記階段２２は、図４に示すように、階段室（分割階段室２ａ）２における２階（上階）の床２３に接続されており、この床２３は、建物本体１における２階（上階）の床２４より低くなっている。具体的には床２３は建物本体１の１階の天井１１より若干低い位置に設けられている。この床２３と建物本体１の床２４との間には段差が生じており、この段差に前記階段２０が設けられている。
また、階段室２、階段２２、階段２０はユニット化されている。つまり、階段室２を構成する壁２１ａ〜２１ｅや、階段２２、階段２０等は予め工場等で製造されており、これらは、現場で建物本体間に設けられている。
【００２６】
階段室２の上部には、収納用床２５が前記床２４より高い位置に設けられており、この収納用床２５の上方が収納所２６とされている。収納所２６は左右に隣接して二つあり、これら収納所２６，２６は、仕切壁２１ｃによって左右に仕切られている。なお、この仕切壁２１ｃは階段室２を左右に仕切る壁である。
収納用床２５は建物本体１の２階の天井より低い位置に設けられているが、上述したように、床２３が床２４より低くなっている分、収納用床２５を低くしても、床２３に対する天井高さは十分に確保されている。
【００２７】
また、建物本体１と階段室２とを仕切る壁２１ｄには、正面視矩形状の開口部２７が設けられており、この開口部２７は小ホール１９に開口している。そして、収納所２６にはこの開口部２７から物品を出し入れできるようになっている。また、この開口部２７には、扉を取り付けてもよいし、取り付けなくてもよい。
さらに、開口部２７の下縁部に、図示は省略するが、梯子を掛けてもよい。開口部は、比較的高い位置にあるので、梯子を上って収納所２６に入ることもできる。
【００２８】
本実施の形態によれば、以下のような効果を得ることができる。
▲１▼収納所２６が、階段室２の上部にある収納用床２５の上方にあるため、つまり、収納所２６が建物本体１の居住スペースの外側にあるため、居住スペースを狭くすることなく、収納所２６を確保できる。
▲２▼建物本体１と階段室２とを仕切る壁２１ｄに、収納所２６へ物品を出し入れするための開口部２７が設けられているので、建物本体１の居住スペース（本例では小ホール１９）から収納所２６を使用できる、つまり、収納所２６が建物本体１の外側にあっても、建物本体１の居住スペースから使用できる。
▲３▼階段室２の収納用床２５上が収納所２６となっているので、収納所２６を確保するために建物本体１の階高を高くしなくてもよく、よって、建物自体の高さも高くなることがない。
【００２９】
▲４▼階段室２における２階の床２３が、建物本体１における２階の床２４より低くなっているので、階段室２における２階の床２４から収納用床２５までの天井高さを低くすることなく、収納用床２５を低くすることができ、その分、収納用床２５上の収納所２６の高さを高くできる、つまり、収納所２６を大きくできる。
▲５▼収納用床２５を低くした分、建物本体１の床２４から収納部２６の開口部２７までの高さが低くなり、よって、居住スペースから収納所２６への物品の出し入れが容易となる。
▲６▼左右一対の建物本体１，１の間に階段室２が配置されているので、この階段室２の上部の収納所２５をそれぞれの建物本体１，１の居住スペースから使用できる。
【００３０】
▲７▼階段室２、階段２２等が、ユニット化されているので、このユニット化されたものを、左右一対の建物本体１，１間の所望の位置に設けることができる。例えば、図１および図２では、階段室２、階段２２等を建物本体１，１間の北側に配置したが、これとは逆に南側に配置してもよいし、さらには南北の中央部に配置してもよい。これによって、建物本体１，１の住戸の玄関位置を変更した様々な平面プランの建物を得ることができる。
▲８▼収納用床２５上の収納所２６，２６が、仕切壁２１ｃによって左右に仕切られているので、この仕切られた収納所２６，２６を、左右一対の建物本体１，１の居住スペースからそれぞれ使用できる。
▲９▼建物本体１，１間には、階段室２と逆側に開口するオープンスペース３０があるので、このオープンスペースを駐輪場等として有効に利用できる。また、オープンスペース３０は、建物の屋根３によって覆われているので、風雨等をある程度凌げる。
【００３１】
なお、本実施の形態では、本発明に係る建物を２階建ての建物に適用した例について説明したが、本発明はこれに限ることなく、３階建て以上の建物や１階建ての建物にも適用できる。
【００３２】
【発明の効果】
以上説明したように、請求項１に記載の発明によれば、収納所は、建物本体の外側に設けられた階段室の上部にある収納用床の上方にあるので、居住スペースを狭くすることなく、収納所を確保できる。
また、建物本体と階段室とを仕切る壁に開口部が設けられているので、建物本体の居住スペースから開口部を通して収納所を使用できる。
さらに、収納所を確保するために建物本体の階高を高くしなくてもよく、よって、建物自体の高さも高くなることがない。
【００３３】
請求項２に記載の発明によれば、階段室における上階の床が、建物本体における上階の床より低くなっているので、階段室における上階の床から収納用床までの天井高さを低くすることなく、収納用床を低くすることができ、その分、収納用床上の収納所の高さを高くできる、つまり、収納所を大きくできる。
また、収納用床を低くした分、建物本体の居住スペースから収納所への物品の出し入れが容易となる。
【００３４】
請求項３に記載の発明によれば、左右一対の建物本体の間に階段室が配置されているので、この階段室の上部の収納所をそれぞれの建物本体の居住スペースから使用できる。
【００３５】
請求項４に記載の発明によれば、ユニット化された階段室と階段を、左右一対の建物本体間の所望の位置に設けることによって、建物本体の住戸の玄関位置を変更した様々な平面プランの建物を得ることができる。
【００３６】
請求項５に記載の発明によれば、仕切壁によって左右に仕切られた収納所を、左右一対の建物本体の居住スペースからそれぞれ使用できる。
【００３７】
請求項６に記載の発明によれば、建物本体の間には、階段室と逆側に開口するスペースが生じるので、このスペースを駐輪場等として有効に利用できる。
【図面の簡単な説明】
【図１】本発明に係る建物の一例を示すもので、建物の１階の平面図である。
【図２】同、建物の２階の平面図である。
【図３】同、建物の正面図である。
【図４】同、建物の要部の縦断面図である。
【符号の説明】
１  建物本体
２  階段室
２１ｃ  仕切壁
２１ｄ  建物本体と階段室とを仕切る壁
２２  階段
２３  階段室における上階の床
２４  建物本体における上階の床
２５  収納用床
２６  収納所
２７  開口部
３０  オープンスペース
【図１】
2004316246.tif 000003
【図２】
2004316246.tif 000004
【図３】
2004316246.tif 000005
【図４】
2004316246.tif 000006